(57)【要約】  ロック機能付き容器（１０）はスリーブ（１４)及び摺動プラットフォーム（１２）を備える。スリーブ（１４）は壁（２４，２６，２８ａ，２８ｂ）、ロッキングポスト（３６）及びリリースボタン（４０）を備える。中空構造を有する壁はトップ壁（２４）、ベース壁（２６）及び側壁（２８ａ、２８ｂ）を含む。端壁（３０）及び開口端（３２）は中空構造の対向端に位置する。摺動プラットフォーム（１２）はスリーブ（１４）に収容され、ロッキングポスト（３６）を収容し、フォーム（１２）をスリーブ（１４）内に固定する係合開口（５４）を備える。リリースボタン（４０）はロッキングポスト（３６）から係合開口（５４）を取り外し、スリーブ（１４）から摺動プラットフォーム（１２）を解放する。移動手段（６０）はリリースボタン（４０）を移動させ、ロッキングポスト（３６）から係合開口（５４）を収容するのを妨げる。【選択図】図１
2010536667.tif 000002
【特許請求の範囲】
【請求項１】
スリーブと、摺動プラットフォームと、移動手段とを備え、
上記スリーブは、トップ壁、ベース壁及び側壁を備え、中空構造に配置される複数の壁と、
前記中空構造の対向端を定義する端壁及び開口端と、
前記ベース壁から前記スリーブ内に延在するロッキングポストと、
前記ロッキングポストと前記端壁との間の前記ベース壁内に定義されたリリースボタンとを備え、
前記摺動プラットフォームは、係合開口を備え、前記スリーブ内に収容され、
前記係合開口は、前記スリーブ内に前記摺動プラットフォームをロックするよう前記ロッキングポストを収容し、
前記リリースボタンは、前記スリーブから前記摺動プラットフォームを開放するために、前記ロッキングポストから前記係合開口を取り外し、
前記移動手段は、前記係合開口が前記ロッキングポストを収容することを妨げるために前記リリースボタンを移動することを特徴とするロック機能付き容器。
【請求項２】
前記移動手段は、前記ベース壁と前記リリースボタンとの間に割り込ませ得る端部を備えることを特徴とする請求項１に記載のロック機能付き容器。
【請求項３】
前記端部は、前記ロッキングポストを収容するノッチを備えることを特徴とする請求項２に記載のロック機能付き容器。
【請求項４】
前記ベース壁は、前記ベース壁と前記リリースボタンとの間に前記端部を割り込ませた場合に前記端部を支持及び配置するために、前記リリースボタンに向けて内側に延在する少なくとも１つのタブを備えることを特徴とする請求項２に記載のロック機能付き容器。
【請求項５】
前記移動手段は、ジャケットにヒンジ式に連結されたフラップを備え、前記ジャケットは、前記スリーブ周囲を覆う構造、及び、前記ベース壁と前記リリースボタンとの間に割り込ませる前記フラップを配置するために前記スリーブ上を摺動する構造を有することを特徴とする請求項１に記載のロック機能付き容器。
【請求項６】
スリーブと、摺動プラットフォームと、被覆手段とを備え、
上記スリーブは、トップ壁、ベース壁及び側壁を備え、中空構造に配置される複数の壁と、
前記中空構造の対向端を定義する端壁及び開口端と、
前記ベース壁から前記スリーブ内に延在するロッキングポストと、
前記ロッキングポストと前記端壁との間の前記ベース壁内に定義されたリリースボタンとを備え、
前記摺動プラットフォームは、係合開口を備え、前記スリーブ内に収容され、
前記係合開口は、前記スリーブ内に前記摺動プラットフォームをロックするよう前記ロッキングポストを収容し、
前記リリースボタンは、前記スリーブから前記摺動プラットフォームを開放するために、前記ロッキングポストから前記係合開口を取り外し、
前記被覆手段は、前記係合開口が前記ロッキングポストを収容することを妨げるために前記ロッキングポストを被覆することを特徴とするロック機能付き容器。
【請求項７】
前記スリーブは、前記ロッキングポストと前記開口端との間の前記ベース壁に定義された開口をさらに備え、前記被覆手段は、前記タブの内側部が前記ロッキングポストを覆うように前記開口を通して延在するタブを備えることを特徴とする請求項６に記載のロック機能付き容器。
【請求項８】
前記タブの外側部は、取付手段により前記ベース壁の外側に取り付けられることを特徴とする請求項７に記載のロック機能付き容器。
【請求項９】
前記タブの外側部は、ジャケットにヒンジ式に連結され、前記ジャケットは、前記スリーブ周囲を覆う構造、及び、前記スロットを通して延在する前記タブを配置するために、前記スリーブ上に摺動される構造を有することを特徴とする請求項７に記載のロック機能付き容器。
【請求項１０】
前記スリーブは、前記端壁内で定義される少なくとも１つの開口をさらに備え、前記被覆手段は、前記スリーブの内側に配置された内側部、前記スリーブの外側に配置される外側部及び前記内側部と前記外側部とを連結する少なくとも１つの脚部を備えるプルタブを備え、
前記少なくとも１つの脚部は、前記少なくとも１つの開口を通して延在し、
前記プルタブは、前記内側部が前記ロッキングポストを覆う第１位置と、前記内側部が前記ロッキングポストを覆わない第２位置との間を移動することを特徴とする請求項６に記載のロック機能付き容器。
【請求項１１】
前記被覆手段は、補助プラットフォームを備え、
前記補助プラットフォームは、補助開口と、前記プラットフォームにヒンジ式に連結され、前記補助開口に近接したフラップとを備え、
前記補助開口は、前記ロッキングポストを収容し、
前記フラップは、前記ロッキングポストを覆うことを特徴とする請求項６に記載のロック機能付き容器。
【請求項１２】
スリーブと、摺動プラットフォームと、回避手段とを備え、
上記スリーブは、トップ壁、ベース壁及び側壁を備え、中空構造に配置される複数の壁と、
前記中空構造の対向端を定義する端壁及び開口端と、
前記ベース壁から前記スリーブ内に延在するロッキングポストと、
前記ロッキングポストと前記端壁との間の前記ベース壁内に定義されたリリースボタンとを備え、
前記摺動プラットフォームは、係合開口を備え、前記スリーブ内に収容され、
前記係合開口は、前記スリーブ内に前記摺動プラットフォームをロックするよう前記ロッキングポストを収容し、
前記リリースボタンは、前記スリーブから前記摺動プラットフォームを開放するために、前記ロッキングポストから前記係合開口を取り外し、
前記回避手段は、前記係合開口が前記ロッキングポストを収容することを回避することを特徴とするロック機能付き容器。
【発明の詳細な説明】
【技術分野】
【０００１】
本発明は、一般的に子供のいたずら防止機能付き容器に関するものである。より具体的には、本発明は、解除可能なロックを備えた子供のいたずら防止機能付き容器に関するものである。
【図面の簡単な説明】
【０００２】
【図１】本発明の模範的な第１実施形態のロック機能付き容器の斜視図である。
【図２】図１のロック機能付き容器の分解組み立て図である。
【図３】図１のロック機能付き容器の分解組み立て図である。
【図４】本発明の模範的な第２実施形態のロック機能付き容器の部分的斜視図である。
【図５】本発明の模範的な第２実施形態のロック機能付き容器の部分的斜視図である。
【図６】本発明の模範的な第２実施形態のロック機能付き容器の部分的斜視図である。
【図７】本発明の模範的な第３実施形態のロック機能付き容器の斜視図である。
【図８】本発明の模範的な第３実施形態のロック機能付き容器の斜視図である。
【図９】本発明の模範的な第４実施形態のロック機能付き容器の部分的斜視図である。
【図１０】本発明の模範的な第４実施形態のロック機能付き容器の部分的斜視図である。
【図１１】図９及び１０のロック機能付き容器の側面の部分的断面図である。
【図１２】本願発明の第５実施形態のロック機能付き容器の斜視図である。
【図１３】本願発明の第５実施形態のロック機能付き容器の斜視図である。
【図１４】図１２及び１３のロック機能付き容器の内部の部分的斜視図である。
【図１５】本願発明の第６実施形態のロック機能付き容器の斜視図である。
【図１６】本願発明の第６実施形態のロック機能付き容器の斜視図である。
【図１７】図１５及び１６のロック機能付き容器の内部の部分的斜視図である。
【図１８】本願発明の第７実施形態のロック機能付き容器の部分的斜視図である。
【図１９】本願発明の第８実施形態のロック機能付き容器の内部の部分的斜視図である。
【図２０】本願発明の第８実施形態のロック機能付き容器の内部の部分的斜視図である。
【図２１】本願発明の第９実施形態のロック機能付き容器の内部及びカードの部分的斜視図である。
【図２２】本願発明の第９実施形態のロック機能付き容器の内部及びカードの部分的斜視図である。
【図２３】本願発明の第９実施形態のロック機能付き容器の内部及びカードの部分的斜視図である。
【発明を実施するための形態】
【０００３】
以下、請求する本発明の詳細な実施形態を開示する。開示された実施形態は、多様な変更態様及びこれらの組み合わせの単なる模範的な開示にすぎないことを理解する必要がある。以下、用語「模範的」は、実例、見本、模型またはひな形としての実施形態をさして拡張的に用いられる。図面は一定比率に縮小する必要はなく、いくつかの態様が特定の構成部分の詳細を示すために誇張または極小化されていてもよい。その他には、本発明を不明瞭としないために、公知の構成部分、システム、材料または方法については詳述していない。したがって、以下に示された特定の構造的及び機能的な詳細は、限定として解釈されるべきではなく、単なる請求項の根拠及び本発明を様々に用いる当業者への典型的な根拠として解釈されるべきである。
【０００４】
開示を目的として、薬剤関連品を保管及び分配する態様のブリスターパックまたはブリスターカードを含むロック機能付き容器についての文脈中に、実施形態が示され及び記載されている。しかしながら、このロック機能付き容器は、他のアイテムを保管及び分配するために用いることも可能であり、小型、精巧、高感度または携帯用のアイテムに対して特に有用である。このようなアイテムの例としては、キャンディ、食品、ビタミン剤等のあらゆる種類の消耗品、コンタクトレンズ、避妊具、禁煙パッチ、補聴器用バッテリー等のあらゆる種類の個人医療品が挙げられる。
【０００５】
さらに、本発明のロック機能付き容器は、ブリスターカードに収容できないが、いずれかの摺動プラットフォームに収容可能なアイテムを保管及び分配する形態とすることもできる。このような実施形態としては、トレー、カード、ラック、パック、ポーチ等を備えたブリスターカードパッケージが用いられる。一般的に、以下に提供された開示は、アイテムを保持または保存し、そこにアイテムを取付または保管し、あるいはアイテムに対してこれらを組み合わせることができるいずれかの構造に適用可能である。
【０００６】
終始同様の符号は同様の態様を示した図面を参照し、本発明の実施形態を説明する。まず、図１〜３に示した模範的な第１実施形態について考察すると、ロック機能付き容器１０には、薬剤（図示していない）のようなアイテムを分配及び保管するためのロックスリーブ１４と協同するブリスターカード１２が備えられている。
【０００７】
図２及び３を参照すると、スリーブ１４は、図１に示されたように、互い取り付けられるベース部１６及びトップ部１８により形成される。具体的には、中空の円筒２２内に釘またはピン２０を押し込むと、ベース部１６及びトップ部１８が互い取り付けられる。他の実施形態においては、スリーブ１４が一体的な構造であり、あるいは、溶接によるスナップ接続を提供する部材、または、機械的ファスナー、粘着剤や他の接着剤、これらの組み合わせによる摺動接続を提供する部材等のような他の取付手段により、トップ部１８及びベース部１６が互いに取り付けられる構成が考慮される。
【０００８】
一時的に図１を見てみると、スリーブ１４には、チューブ状構造を形成するトップ壁２４、並びに、ベース壁２６及び対向外側壁２８ａ、２８ｂが設けられている。チューブ状構造の一端は端壁３０により塞がれており、他端は実質的に開口端３２である。スリーブ１４には、ブリスターカード１２を収容し、スリーブ１４に対してブリスターカード１２を整列するよう設計された区画が設けられている。図２に示されるように、第１実施形態においては、外側壁２８ａ、２８ｂから内側に分岐された、区画の内側壁がリブ３４ａ、３４ｂにより定義されている。さらに、区画はトップ壁２４、ベース壁２６及び端壁３０により定義されている。
【０００９】
図３を参照すると、スリーブ１４には、ベース壁２６から区画内に突出するロッキングポスト３６が設けられている。ロッキングポスト３６には、ここにアイテムが用いられた場合に、以下に詳述される摺動プラットフォームの係合開口に協同的に係合するいずれかの部材が備えられている。ロッキングポスト３６は、端壁３０近傍にあり、ブリスターカード１２が実質的に充分に区画内に挿入された場合にブリスターカード１２を持ち上げ係合するように形作られている。具体的には、ロックポスト３６には、スリーブ１４の開口端３２に対向する傾斜面３８が設けられている。ロッキングポスト３６には、以下に詳述するブリスターカード１２に係合するための、端壁３０に対向するように傾斜面３８に向かい合った接触面３９も設けられている。
【００１０】
さらに、スリーブ１４には、区画内に旋回自在に配置されるように、Ｕ字型スロット４２及びヒンジ４４により定義されたリリースボタン４０が設けられている。リリースボタン４０の末端がロッキングポスト３６の接触面３９の近傍となるように、ロッキングポスト３６と端壁３０との間のベース壁２６内にリリースボタン４０が配置される。リリースボタン４０には、以下でさらに詳述するブリスターカード１２に接触し、配置するよう区画内に延在されたリブ延在部４６が設けられている。
【００１１】
図２を参照すると、スリーブ１４には、区画内でブリスターカード１２が自由に摺動し、ブリスターカード１２が区画から取り出された場合に、ブリスターカード１２を係合するよう設計され配置された保持構造４７が設けられている。保持構造４７は、開口端３２付近に配置され、区画内でトップ壁２４から延在し、端壁３０及びベース壁２６の両方に向けられている。
【００１２】
区画内でトップ壁２４から延在し、ブリスターカード１２を促しまたは偏らせる傾斜部材４８ａ、４８ｂは、ベース壁２６に向けられている。他の傾斜手段には、圧縮力を作用させる、板バネ、ダガースプリング、及び同様の構成が含まれる。他の実施形態においては、ベース壁２６にブリスターカード１２を向けさせるリブが傾斜部材４８ａ、４８ｂに代えて用いられる。
【００１３】
続けて図２及び３を参照し、ブリスターカード１２の形態の摺動プラットフォームをより詳細に説明する。ブリスターカード１２には、一般的に薬剤（図示していない）のような１つ以上のアイテムを保持する板状基体５０及び複数のブリスター５２が備えられている。ブリスター５２は、ブリスターカード１２が内側または外側に移動した場合に、スリーブ１４の特定の内部形態との接触を避けるように配置されている。ブリスターカード１２の配向を記述するために、先端部Ｅ１及び後端部Ｅ２が定義されている。
【００１４】
ブリスターカード１２及びその中のパッケージングアイテム（図示していない）を形成する模範的な方法によれば、ブリスター５２は、トレーを構成する板状プラスチックシート内に形成され、ブリスター５２により構成される凹部内にアイテムが配置される。これにより、ブリスター５２内にアイテムを収容するトレーの平面部に、ボール紙やフォイルのシートのような裏材が取り付けられる。このブリスターカード１２の形成によれば、板状基材５０は、プラスチックシート及びボール紙やフォイルの裏材により構成された層によって定義される。
【００１５】
ブリスターカード１２には、ロッキングポスト３６を収容するように設計され配置された係合開口５４が備えられている。ここで用いられているように、係合開口は、ロッキングポスト３６を協同的に係合するいずれの部材をも含む。この実施形態においては、開口は、先端部Ｅ１近傍に配置されている。区画及びブリスターカード１２は、ブリスターカード１２が区画内に実質的に充分に挿入された場合に、係合開口５４がロッキングポスト３６を収容するように配置または整列されるように互いに設計されている。この区画の幅は、実質的にブリスターカード１２の幅と同様である。
【００１６】
ブリスターカードは、異なって構成され及び／または他の方法によって形成されてもよい。例えば、図２３に示されたブリスターカードの他の実施形態を一時的に参照すると、ブリスターカード１２には、異なった数のブリスター５２及び／または異なる配置のブリスター５２が含まれる。他の例としては、ブリスターカード１２は、スリーブ１４内に収容されるように先端部Ｅ１に向けて先細にしまたは細くしてもよい。
【００１７】
以下、ロック機能付き容器１０を操作する方法を説明する。示された実施家板においては、スリーブ１４内でブリスターカード１２を解除自在にロックするロック態様には、ロッキングポスト３６、傾斜部材４８ａ、４８ｂ及び係合開口５４が備えられている。スリーブ１４内でブリスターカード１２を解除自在にロックするためには、ブリスターカード１２の先端部Ｅ１がトップ壁２４近傍のブリスター５２とともにスリーブ１４の開口端３２を通って挿入される。ブリスターカード１２が区画内に摺動すると、先端部Ｅ１が傾斜面３８を超えて摺動し、ロッキングポスト３６が開口５４に収容される。その結果、接触面３９が開口５４の端部に接触し、スリーブ１４内でブリスターカード１２が解除自在にロックされる。さらに、傾斜部材４８ａ、４８ｂがブリスターカード１２をベース壁２６に向けて押し下げ、ロッキングポスト３６上で開口５４が保持される。
【００１８】
この実施形態においては、スリーブ１４からブリスターカード１２を解除する解除態様には、リリースボタン４０が備えられている。スリーブ１４からのブリスターカード１２の解除に関しては、リブ延在部４６がブリスターカード１２に接触し、トップ壁２４に向けてブリスターカード１２を配置するように、リリースボタン４０が区画内に押し付けられる。ブリスターカード１２は傾斜部材４８ａ、４８ｂを押圧し、係合開口５４がロッキングポスト３６から押し上げられる。これにより、ブリスターカード１２の後端部Ｅ２付近が把持され、開口端３２を通して引き出される。この実施形態においては、保持構造４７が開口５４内に収容された場合に、ブリスターカード１２が充分に抜き出されるのを防ぐ。他の実施形態においては、ブリスターカード１２が充分に抜き出されまたは検索や計測が行われ、一度にブリスター５２の限定部材にアクセス可能となる。
【００１９】
第１実施形態では、ロック機能付き容器の利点について述べている。しかしながら、ある条件下では、このロック形態は要求されない。例えば、子供がいないまたは一定の時間だけいる環境において、あるいは、子供がロック機能付き容器に接することのない環境においては、子供のいたずら防止機能が解除されることが望まれる。これにより、ロック機能付き容器及びその内容物を所有し、内容物を使用するユーザー、すなわち大人が、子供のいたずら防止機能を繰り返し処理することなく、内容物に接することができる。
【００２０】
次にロック形態を回避する手段について説明する。ある実施形態においては、回避手段には、リリースボタンを移動するまたは無力化する手段が含まれる。他の実施形態においては、回避手段には、ロッキングポストを覆うまたは無力化する手段が含まれる。さらなる他の実施形態においては、回避手段には、ロッキングポストが係合開口に収容されるのを抑制または禁止する手段が含まれる。以下に記載された実施形態の部材は第１実施形態に記載された部材と実施的に同様であるため、さらなる記載を繰り返さない。むしろ、実施形態間で異なることについてのみ以下に記載する。
【００２１】
図４〜６に示された模範的な第２実施形態を参照すると、回避手段には、リリースボタン４０の形状に対応した形状を有す１セント銅貨やコインのような平坦なディスク６０が含まれる。この平坦なディスク６０は所望の厚さを有し、リリースボタン４０とベース壁２６との間にその端部を割り込ませ、所望の量によりリリースボタン４０を移動させる。図６を参照すると、ディスク６０は、ディスク６０の端部がロッキングポスト３６と接するまでリリースボタン４０とベース壁２６との間に割り込ませる。ブリスターカード１２がスリーブ１４内に挿入された場合においても開口５４がロッキングポスト３６を収容しないように、リリースボタン４０を移動位置に保持する。
【００２２】
この実施形態においては、図４及び５に示すように、保管タブ６２ａ、６２ｂがディスク６０を支持及び配置するために延在するように、リリースボタン４０を定義するスロット４２が形作られる。スロット４２が第１実施形態と同様に形作られた実施形態においては、ディスク６０がリリースボタン４０とベース壁２６との間に割り込ませた場合にディスク６０が横移動し得るよう構成してもよい。
【００２３】
第１及び第２実施形態においては、ディスク６０は、リリースボタン４０によりベース壁２６に対して決まった位置に押し付けられる。しかしながら、ある実施形態においては、ディスク６０とスリーブ１４との間の摩擦量がディスク６０を決まった位置に押し付けるのに充分でないかもしれない。模範的な方法により並びに図７及び８に示された模範的な第３実施形態を参照すると、ディスク６０を決まった位置に保管するためにテープ６４が用いられる。具体的には、リリースボタン４０を移動させるためにディスク６０を決まった位置に割り込ませると、ディスク６０上にテープ６４を用い、スリーブ１４の壁を横断させる。
【００２４】
ディスク６０の形状及びプッシュボタン４０の形状を変更し、ここに記載されたものと実質的に同様の機能を発揮することが可能であることを理解すべきである。例えば、ディスク６０は棒状や長方形状の形状であってもよく、くさびと同様に長さ方向に沿って厚さを次第に増加させてもよい。
【００２５】
他の実施形態においては、ディスク６０には、ディスク６０をベース壁２６とリリースボタン４０との間にさらに割り込ませるように、ロッキングポスト３６を収容するために設計及び配置されたノッチ（図示していない）が設けられている。さらなる他の実施形態によれば、リリースボタン４０を移動させるディスク６０を配置するために、ディスク６０または他のくさび構造は、スロット４２により定義されたベース壁２６の端部に取り付けられるクリップと一体化される。
【００２６】
図９〜１１に示された模範的な本発明の第４実施形態を参照すると、スリーブ１４には、ロック態様を解除するためにディスク６０が挿入されるスロット７０が設けられている。一般に、ディスク６０を収容及び配置するために、リリースボタン４０の末端が移動された近傍の区画内にディスク６０の端部が延在するように、スロット７０が設計及び配置されている。スロット（図示していない）は、スロット７０と実質的に同一平面内となるように、ロッキングポスト３６内に形成されてもよい。
【００２７】
このスロット７０は、Ｕ字型スロット４２と交差してベース壁２６内に実質的に直線状で配置される。スロット７０の幅は、ディスク６０がスロット７０内に押し込まれまたは摩擦により決まった位置に保持されるように、ディスク６０の厚さより僅かに小さい。また、スロット７０の長さは、ディスク６０がベース壁２６から所望の距離で区画内に延在するように決定することができる。この実施形態においては、図１１に最もよく示されているように、ブリスターカード１２がスリーブ１４内に挿入された場合に、開口５４がロッキングポスト３６に係合するのをディスク６０の端部が防いでいる。
【００２８】
図１２〜１４に示された模範的な本発明の第５実施形態を見てみると、摺動解除構造８０は、ジャケット８４から切り出されたフラップ８２が備えられている。ジャケット８４は、トップ、ベースおよび側壁２４、２６、２８ａ、２８ｂ周囲を包み込み、開口端３２と端壁３０との間でスリーブ１４の外側上を縦にまたは長さ方向に摺動する。このフラップ８２は、リリースボタン４０と実質的に同形状で僅かに小さいＵ字型の切断線８６により定義される。フラップ８２は、ジャケット８４がスリーブ１４上で摺動した場合に長さ方向にリリースボタン４０と整列するように、ジャケット８４上に配置されている。また、ノッチ８８は、フラップ８２の末端で定義される。
【００２９】
摺動解除構造８０を操作するためには、フラップ８２が実質的にリリースボタン４０と整列するまでジャケット８４を端壁３０に向けて摺動させる。これにより、図１４に最もよく示されているように、リリースボタン４０を移動するようにフラップ８２が押圧され、プッシュボタン４０とベース壁２６との間にフラップ８２が割り込むように、ジャケット８４を開口端３２に向けて摺動させる。さらに、ロッキングポスト３６を収容するために、プッシュボタン４０とベース壁２６との間にフラップ８２をさらに割り込ませるように、ノッチ８８が設計及び配置される。
【００３０】
本発明の第６実施形態は、他の摺動解除構造９０を備えており、図１５〜１７に示されている。この実施形態においては、スリーブ１４には、ベース壁２６内に配置され、ロッキングポスト３６の傾斜面３８に近接したスロット９２が設けられている。摺動解除構造９０には、ジャケット８４について上述したように、スリーブ１４周囲を包み込み、スリーブ１４に対して摺動自在なジャケット９４が備えられている。ジャケット９４には、ジャケット９４にヒンジ式に連結され、スロット９２と長さ方向に整列されたタブ９６が設けられている。
【００３１】
摺動解除構造９０を操作するためには、ジャケット９４を端壁３０に向けて摺動させ、スロット９２を通してタブ９６を送り込む。これにより、図１７に見られるように、タブ９６が区画内に延在し、開口５４がロッキングポスト３６を収容するのを防ぐように、ロッキングポスト３６を覆う。
【００３２】
他の実施形態においては、ジャッケト９４なしでタブ９６が用いられる。例えば、図１８に示された本発明の第７実施形態を参照すると、ロッキングポスト３６を覆うために、タブ９６は、ジャッケト９４に連結されるのではなく、スロット９２を通して送り込まれ、外端部９８がベース壁２６の外表面に取り付けられる。外端部９８は、図１８に示されているように、テープ９９または接着剤、ＶＥＬＣＲＯ（登録商標）、機械的ファスナー、これらの組み合わせ等のような他の保管手段とともにベース壁２６に取り付けられる。
【００３３】
本発明の第８実施形態は図１９及び２０に示され、ロック態様を解除するために摺動するプルタブ構造１００を備えている。この実施形態においては、スリーブ１４には、端壁３０内に配置され、端壁３０のストッパー部１０４により分離されたスロット１０２ａ、１０２ｂが設けられている。
【００３４】
プルタブ構造１００は、実質的に平坦であり、長さ方向に延在する細長い開口１０６が設けられている。さらに、プルタブ構造１００には、細長い開口１０６により互いに定義された外端部１０８、内端部１１０及び脚部１１２ａ、１１２ｂが備えられている。プルタブ構造１００が第１位置と第２位置との間で移動可能なように、ストッパー部１０４が細長い開口１０６内に収容され、脚部１１２ａ、１１２ｂがスロット１０２ａ、１０２ｂ内に収容される。図１９を参照すると、ロッキングポスト３６をブリスターカード開口５４に収容し得る第１解放位置となるように、プルタブ構造１００が充分に区画内に挿入された場合には、ロッキングポスト３６傾斜面３８に対向して内端部１１０が配置され、細長い開口１０６内にロッキングポスト３６が収容され、外端部１０８に近接する細長い開口１０６の端部が実質的にストッパー部１０４と接触する。通常の解除操作を提供するために、プッシュボタン４０がそこから移動し得るように、細長い開口１０６が設計及び配置されるべきである。
【００３５】
ロック態様を解除するためには、図２０に示されているように内端部１１０がロッキングポスト３６を覆う第２閉鎖位置にプルタブ構造１００を引き出すよう外端部１０８を係合させる。この実施形態においては、プルタブ構造１００が第２位置内ある場合に、ストッパーポスト１１４ａ、１１４ｂに接するよう内端部１１０が形作られている。上記のように、ロッキングポスト３６を覆うことは、ブリスターカード１２がスリーブ１４内に収容された場合においても、開口５４がロッキングポスト３６を収容するのを妨げる。
【００３６】
プルタブ構造１００はここに示された形状や構造に限定されるものではない。他のプルタブ構造としては、端壁３０の１つのスロット内に摺動する１つの脚部が備えられていてもよい。また、プルタブ構造が第２位置にある場合に端壁３０がプルタブ構造の停止態様をもたらすよう構成されていてもよい。
【００３７】
図２１〜２３を参照すると、本発明の模範的な第９実施形態によれば、補助カード１２０がロック態様の回避手段として用いられる。この補助カード１２０には、開口１２２及びフラップ１２４が設けられている。開口１２２は、ロッキングポスト３６を収容するよう設計及び配置されている。フラップ１２４は、切断線１２５に沿って補助カード１２０から切り出され、開口１２２に近接する保持線１２６に沿って補助カード１２０にヒンジ式に連結している。
【００３８】
図２２を見てみると、ロック態様を解除するためには、フラップ１２４が保持線１２６に沿って開口１２２に向かって保持され、次いで、トップ壁２４に向かって延在するフラップ１２４とともにカード１２０が区画内に挿入される。開口１２２がロッキングポスト３６を収容すると、フラップ１２４がロッキングポスト３６を覆うように配置される。図２３を参照すると、ブリスターカード１２が区画内に挿入され、ロッキングポスト３６を収容する開口５４を備えないカード１２０上を摺動して区画から取り出される。
【００３９】
法律は要求しておらず、本クレームの可能な実施形態を説明及び開示することは経済的に法外なものである。これにより、上記の実施形態は単に開示の本質の明確な理解のための手段の模範的な説明にすぎない。したがって、クレームの目的から逸脱することのない範囲で、上記実施形態は変更、修飾及びこれらの組み合わせを行うことができる。これに鑑みて、この開示及び以下のクレームの目的には、このような変更、修飾及びこれらの組み合わせの全てが含まれる。
【図１】
2010536667.tif 000003
【図２】
2010536667.tif 000004
【図３】
2010536667.tif 000005
【図４】
2010536667.tif 000006
【図５】
2010536667.tif 000007
【図６】
2010536667.tif 000008
【図７】
2010536667.tif 000009
【図８】
2010536667.tif 000010
【図９】
2010536667.tif 000011
【図１０】
2010536667.tif 000012
【図１１】
2010536667.tif 000013
【図１２】
2010536667.tif 000014
【図１３】
2010536667.tif 000015
【図１４】
2010536667.tif 000016
【図１５】
2010536667.tif 000017
【図１６】
2010536667.tif 000018
【図１７】
2010536667.tif 000019
【図１８】
2010536667.tif 000020
【図１９】
2010536667.tif 000021
【図２０】
2010536667.tif 000022
【図２１】
2010536667.tif 000023
【図２２】
2010536667.tif 000024
【図２３】
2010536667.tif 000025
【図２４】
2010536667.tif 000026
【国際調査報告】
2010536667.tif 000027
2010536667.tif 000028